(57)【要約】【課題】この発明は、組立時に、金属端子を端子台のガイド壁に押し付けてワイヤーハーネスを撓ませ、部品公差による位置ずれを吸収して、金属端子の端子部への接続作業性を向上させるとともに、位置決め機構が簡素化でき、小型化が図られる回転電機を提供する。【解決手段】この発明による回転電機は、金属端子の他端が、それぞれ、電力変換回路部に接続されて、電力変換装置のケースから突出している、可撓性を有するワイヤーハーネスの突出端に接合されており、上記ワイヤーハーネスは、該ワイヤーハーネス間の相対位置が確保されている状態で保持部材に保持されており、ガイド壁が、少なくとも１本の端子部の第１接続部に対応して、端子台本体に形成されており、少なくとも１本の上記金属端子の第２接続部が、上記ガイド壁に接した状態で締着部材により上記端子台本体に締着固定されており、上記ワイヤーハーネスのそれぞれが撓んでいる。【選択図】図２
2017108476.tif 000002
【特許請求の範囲】
【請求項１】
固定子巻線がハウジング内に収納されている回転電機本体と、
電力変換回路部がケース内に収納されている電力変換装置と、
上記ハウジングに取り付けられた樹脂製の端子台本体、およびそれぞれ、一端が上記固定子巻線に接続され、他端に環状の第１接続部を有し、上記端子台本体に一体となっている端子部を備える端子台と、
それぞれ、一端に環状の第２接続部を有し、上記電力変換回路部に接続される金属端子と、を備え、
上記第２接続部のそれぞれが、上記第１接続部のそれぞれに重ねられた状態で、締着部材により上記端子台本体に締着固定されて、上記第１接続部と電気的に接続されている回転電機において、
上記金属端子の他端が、それぞれ、上記電力変換回路部に接続されて、上記ケースから突出している、可撓性を有するワイヤーハーネスの突出端に接合されており、
上記ワイヤーハーネスは、該ワイヤーハーネス間の相対位置が確保されている状態で保持部材に保持されており、
ガイド壁が、少なくとも１本の上記端子部の上記第１接続部に対応して、上記端子台本体に形成されており、
少なくとも１本の上記金属端子の上記第２接続部が、上記ガイド壁に接した状態で上記締着部材により上記端子台本体に締着固定されており、
上記ワイヤーハーネスのそれぞれが撓んでいる回転電機。
【請求項２】
上記ガイド壁は、対応する上記第１接続部の軸心を中心とする円筒面の一部からなる円弧面に形成されている請求項１記載の回転電機。
【請求項３】
上記ガイド壁が、上記端子台本体の一部により構成されている請求項２記載の回転電機。
【請求項４】
上記締着部材が締着されるナットが、上記端子台本体に一体となっている請求項１から請求項３のいずれか１項に記載の回転電機。
【請求項５】
上記ケースが、上記第１接続部の軸心と平行な回動ピンを中心として、上記第２接続部が上記ガイド壁に当接して上記第１接続部に対して位置決めされる締着位置と、上記第２接続部が上記ガイド壁から離間する非締着位置との間を、回動可能に上記ハウジングに取り付けられている請求項１から請求項４のいずれか１項に記載の回転電機。
【請求項６】
上記ケースが、上記ガイド壁と相対する方向に、上記第２接続部が上記ガイド壁に当接して上記第１接続部に対して位置決めされる締着位置と、上記第２接続部が上記ガイド壁から離間する非締着位置との間を、スライド移動可能に上記ハウジングに取り付けられている請求項１から請求項４のいずれか１項に記載の回転電機。
【請求項７】
ダストシールが、上記ケースの上記ワイヤーハーネスの突出部に装着されている請求項１から請求項６のいずれか１項に記載の回転電機。
【発明の詳細な説明】
【技術分野】
【０００１】
この発明は、回転電機本体と電力変換装置とを備える回転電機に関し、特に、回転電機本体と電力変換装置との電気的接続構造に関するものである。
【背景技術】
【０００２】
従来の電気回路装置は、電力変換回路が収納された電力変換装置と、回転電機と、電力変換回路に接続されて、電力変換装置のケースから突出する導電部材と、導電部材が挿通される貫通孔を有する中間部材と、を備え、導電部材を貫通孔に通して導電部材に装着された中間部材を、電力変換装置のケースおよび回転電機のケースに形成された開口に挿入して、電力変換装置のケースと回転電機のケースとの位置決めが行われ、通電部材が回転電機のケースに設けられた端子台にボルトで固定されて、電力変換装置の電力変換回路と回転電機の電機子巻線などの電気回路部品とが電気的に接続されていた（例えば、特許文献１参照）。
【先行技術文献】
【特許文献】
【０００３】
【特許文献１】特許第５４０９５１７号公報
【発明の概要】
【発明が解決しようとする課題】
【０００４】
従来の電気回路装置では、中間部材を電力変換装置のケースおよび回転電機のケースに形成された開口に挿入して、電力変換装置のケースと回転電機のケースとの位置決めが行われているので、ケースの位置決め機構が大がかりとなり、装置の大型化をもたらすという課題があった。
また、従来の電気回路装置では、電力変換装置のケースと回転電機のケースとの位置決めは行われているが、通電部材と端子台との位置決めは行われていない。そこで、組立時に、部品公差などによる通電部材と端子台との位置ずれが生じてしまい、通電部材の端子台への接続作業性が低下するという課題もあった。
【０００５】
この発明は、上記課題を解決するためになされたもので、通電部材をワイヤーハーネスと金属端子とで構成し、組立時に、金属端子を端子台のガイド壁に押し付けた際にワイヤーハーネスを撓ませて金属端子と端子台との位置ずれを吸収し、金属端子の端子台への接続作業性を向上させることができるとともに、位置決め機構が簡素化され、小型化が図られる回転電機を提供する。
【課題を解決するための手段】
【０００６】
この発明の回転電機は、固定子巻線がハウジング内に収納されている回転電機本体と、電力変換回路部がケース内に収納されている電力変換装置と、上記ハウジングに取り付けられた樹脂製の端子台本体、およびそれぞれ、一端が上記固定子巻線に接続され、他端に環状の第１接続部を有し、上記端子台本体に一体となっている端子部を備える端子台と、それぞれ、一端に環状の第２接続部を有し、上記電力変換回路部に接続される金属端子と、を備え、上記第２接続部のそれぞれが、上記第１接続部のそれぞれに重ねられた状態で、締着部材により上記端子台本体に締着固定されて、上記第１接続部と電気的に接続されている。上記金属端子の他端が、それぞれ、上記電力変換回路部に接続されて、上記ケースから突出している、可撓性を有するワイヤーハーネスの突出端に接合されており、上記ワイヤーハーネスは、該ワイヤーハーネス間の相対位置が確保されている状態で保持部材に保持されており、ガイド壁が、少なくとも１本の上記端子部の上記第１接続部に対応して、上記端子台本体に形成されており、少なくとも１本の上記金属端子の上記第２接続部が、上記ガイド壁に接した状態で上記締着部材により上記端子台本体に締着固定されており、上記ワイヤーハーネスのそれぞれが撓んでいる。
【発明の効果】
【０００７】
この発明によれば、第２接続部が、ガイド壁に当接した状態で、締着部材により端子台本体に締着固定され、かつワイヤーハーネスが撓んでいる。そこで、第２接続部をガイド壁に当接させて、ワイヤーハーネスを撓ませることで、部品公差などによる第１接続部と第２接続部との位置ずれが吸収され、金属端子と端子部との接続作業性が向上される。さらに、位置決め機構が簡素な構成で実現されるので、回転電機の小型化が図られる。
【図面の簡単な説明】
【０００８】
【図１】この発明の実施の形態１に係る型回転電機の全体構成を説明する示す斜視図である。
【図２】この発明の実施の形態１に係る回転電機の電気的接続図である。
【図３】この発明の実施の形態１に係る回転電機における電気的接続方法を説明する図である。
【図４】この発明の実施の形態２に係る回転電機における回転電機本体を示す斜視図である。
【図５】図４のＶ−Ｖ矢視断面図である。
【図６】この発明の実施の形態３に係る回転電機における電力変換装置を示す斜視図である。
【図７】この発明の実施の形態４に係る回転電機における回転電機本体を示す斜視図である。
【図８】この発明の実施の形態４に係る回転電機における電力変換装置を示す斜視図である。
【図９】この発明の実施の形態４に係る回転電機における電力変換回路部と固定子巻線との接続方法を説明する斜視図である。
【図１０】この発明の実施の形態５に係る回転電機における電力変換回路部と固定子巻線との接続方法を説明する斜視図である。
【発明を実施するための形態】
【０００９】
実施の形態１．
図１はこの発明の実施の形態１に係る型回転電機の全体構成を説明する示す斜視図、図２はこの発明の実施の形態１に係る回転電機の電気的接続図、図３はこの発明の実施の形態１に係る回転電機における電気的接続方法を説明する図である。
【００１０】
図１から図３において、回転電機は、ハウジング１内に回転可能に配設された回転子２、およびハウジング１に保持されて、回転子２を囲繞するように、かつ同軸に配設された固定子３を有する回転電機本体１００と、直流電力を交流電力に変換し、かつ交流電力を直流電力に変換する電力変換回路部１０、および電力変換回路部１０の駆動を制御する制御装置２０を有する電力変換装置２００と、回転電機本体１００と電力変換装置２００とを電気的に接続する電気接続部３００と、を備える。
【００１１】
電力変換回路部１０は、それぞれ、ダイオード１２が並列に接続された２つのスイッチング素子１１を直列に接続してなるスイッチング素子１１の対を、３つ並列に接続して構成される。そして、スイッチング素子１１の対の正極端子が、バッテリ１５の正極端子に接続され、スイッチング素子１１の対のグランド端子が、バッテリ１５のグランド端子に接続される。スイッチング素子１１の各対の、スイッチング素子１１の接続部が交流端子となり、電気接続部３００を介して、回転電機本体１００の固定子巻線４に接続されている。
【００１２】
制御装置２０は、ＣＰＵなどの電子部品により構成された、電力変換回路部１０のスイッチング素子１１をＯＮ／ＯＦＦ制御する制御回路を備える。
【００１３】
電気接続部３００は、回転電機本体１００のハウジング１に配設された端子台３０と、それぞれ、電力変換回路部１０の交流端子に接続されてケース２９から突出する３本のワイヤーハーネス３５と、それぞれ、銅合金で先端に環状の第２接続部３６ａを有する帯状平板に作製され、長さ方向をワイヤーハーネス３５の長さ方向に一致させて、後端をワイヤーハーネス３５の突出端に溶接などにより接合された金属端子３６と、金属端子３６と端子台３０とを締着固定する締着部材としてのねじ３８と、を備える。
【００１４】
端子台３０は、直方体の上部一側を切り欠いて形成された段差部を有する、絶縁樹脂製の端子台本体３１と、それぞれ、銅合金で一端に環状の第１接続部３２ａを有する帯状平板に作製され、他端を固定子巻線４の給電部に接続された３本の端子部３２と、を備える。そして、端子部３２は、その第１接続部３２ａが、端子台本体３１の段差部の平坦な底面と面一となり、かつ互いに離間して１列に配列するように、端子台本体３１に一体成形されている。また、ナット３３が、各第１接続部３２ａの下部に第１接続部３２ａと同軸に、端子台本体３１に一体成形されている。さらに、ガイド壁３４が、それぞれ、端子台本体３１の段差部の起立面の第１接続部３２ａに対応する部位を窪ませて、ナット３３の軸心を中心とする円筒面の一部により構成される円弧面に形成されている。
【００１５】
端子台３０は、端子台本体３１を、段差部を回転電機本体１００のハウジング１の軸方向一側に向けて、かつ段差部の底面をハウジング１の径方向外方に向けて、ハウジング１の外周面の軸方向一側の端部に取り付けて、ハウジング１に配設されている。そして、端子部３２の第１接続部３２ａは、回転電機本体１００の軸心を中心とする、中央の第１接続部３２ａの上面に接する円の接線方向に１列に配列されている。
【００１６】
ワイヤーハーネス３５は、銅合金製の複数の素線を絶縁体で被覆して作製され、可撓性を有している。このように構成された３本のワイヤーハーネス３５は、それぞれ、１直線に延ばされて、ケース２９と金属端子３６との略中間位置を保持部材３７に保持されて、同一平面上に、互いに平行に配列され、ワイヤーハーネス３５間の相対位置が確保されている。なお、ワイヤーハーネス３５間の相対位置を確保することは、３つの金属端子３６の第２接続部３６ａの位置関係を、端子台３０における３つの端子部３２の第１接続部３２ａの位置関係と同じにすることを意味する。ここでは、第２接続部３６ａがワイヤーハーネス３５の長さ方向と直交する方向に１列に配列され、第２接続部３６ａ間の間隔が、端子台本体３１の段差部の底面に１列に配列された第１接続部３２ａ間の間隔と同じとなっている。また、第２接続部３６ａは、その穴が、ガイド壁３４に接した状態で、第１接続部３２ａの穴と同軸となるように、形成されている。ガイド壁３４が、第１接続部３２ａと第２接続部３６ａとの位置決めの基準面となる。
【００１７】
つぎに、回転電機本体１００と電力変換装置２００との電気的な接続について、図３を参照しつつ説明する。
【００１８】
まず、ワイヤーハーネス３５が配列されている平面を端子台本体３１の段差部の底面と平行にして、端子台本体３１の段差部の底面と平行、かつ第１接続部３２ａの配列方向の直交する方向から、電力変換装置２００を端子台３０に近づける。そして、３本の金属端子３６の第２接続部３６ａを、それぞれガイド壁３４に押圧する。これにより、３本のワイヤーハーネス３５の保持部材３７と金属端子３６との間の部分が撓み、部品公差などによる位置ずれが吸収される。これにより、金属端子３６の第２接続部３６ａと端子部３２の第１接続部３２ａとが位置決めされる。
【００１９】
ついで、３本の金属端子３６の第２接続部３６ａがガイド壁３４に当接させた状態で、電力変換装置２００を下方に移動させ、３つの第２端子部３６ａを、それぞれ端子部３２の第１接続部３２ａ上に接するように位置させる。これにより、第２接続部３６ａが、第１接続部３２ａに同軸に重ねられる。そこで、ねじ３８を第２接続部３６ａの穴と第１接続部３２ａの穴に通してナット３３に締着し、電力変換回路部１０と固定子巻線４とが電気的に接続される。そして、電力変換回路部１０と固定子巻線４とが電気的に接続された後、ケース２９がハウジング１に締着固定され、回転電機本体１００と電力変換装置２００とを一体化した回転電機が組み立てられる。
【００２０】
ここで、ワイヤーハーネス３５と金属端子３６からなる通電部材の長さが、ハウジング１に締着固定されたケース２９のワイヤーハーネス３５の引き出し部から端子台３０のガイド壁３４までの直線距離より長くなるように、ワイヤーハーネス３５の長さが設定されている。そして、電気接続部３００では、３つの第２接続部３６ａが、それぞれ、ガイド壁３４に接した状態で、ねじ３８により第１接続部３２ａに締着固定され、３本のワイヤーハーネス３５が、それぞれ、撓んで、部品公差による第１および第２接続部３２ａ，３６ａの位置ずれを吸収している。
【００２１】
実施の形態１によれば、電力変換装置２００側の通電部材を、可撓性を有するワイヤーハーネス３５と金属端子３６とにより構成している。また、金属端子３６の第２接続部３６ａを端子部３２の第１接続部３２ａに位置決めする基準面を構成するガイド壁３４を第１接続部３２ａに近接させて端子台３０に設けている。そこで、金属端子３６の第２接続部３６ａをガイド壁３４に当接させることで、第１および第２接続部３２ａ，３６ａが位置決めされる。また、部品公差などによる第１および第２接続部３２ａ，３６ａの位置ずれは、ワイヤーハーネス３５の撓みにより吸収されるので、第１および第２接続部３２ａ，３６ａが高精度に位置決めされる。これにより、金属端子３６の端子部３２への接続作業性が向上される。
【００２２】
また、３本のワイヤーハーネス３５が単一の保持部材３７により保持されているので、可撓性を有するワイヤーハーネス３５間の相対位置を確保でき、第１および第２接続部３２ａ，３６ａの位置決めが容易となる。
【００２３】
実施の形態２．
図４はこの発明の実施の形態２に係る回転電機における回転電機本体を示す斜視図、図５は図４のＶ−Ｖ矢視断面図である。
【００２４】
図４および図５において、端子台３０Ａは、直方体の上部一側を切り欠いて形成された段差部を有する、絶縁樹脂製の端子台本体３１Ａと、それぞれ、銅合金で一端に環状の第１接続部３２ａを有する帯状平板に作製され、他端を固定子巻線４の給電部に接続された３本の端子部３２と、を備える。そして、１本の端子部３２が、それらの第１接続部３２ａを、端子台本体３１Ａの段差部の平坦な底面と面一となるように、端子台本体３１Ａに一体成形されている。さらに、２本の端子部３２が、その第１接続部３２ａを、端子台本体３１Ａの上面と面一となり、かつ段差部の底面に形成された第１接続部３２ａの両側に位置するように、端子台本体３１Ａに一体成形されている。また、ナット３３が、各第１接続部３２ａの下部に第１接続部３２ａと同軸に、端子台本体３１Ａに一体成形されている。さらに、ガイド壁３４が、端子台本体３１Ａの段差部の起立面の第１接続部３２ａに対応する部位を窪ませて、ナット３３の軸心を中心とする円筒面の一部により構成される円弧面に形成されている。
【００２５】
端子台３０Ａは、端子台本体３１Ａを、段差部を回転電機本体１００のハウジング１の軸方向一側に向けて、かつ段差部の底面をハウジング１の径方向外方に向けて、ハウジング１の外周面の軸方向一側の端部に取り付けて、ハウジング１に配設されている。
【００２６】
ここで、図示していないが、ケース２９から突出した３本のワイヤーハーネス３５が、ワイヤーハーネス３５の金属端子３６側を保持部材３７に保持されて、ワイヤーハーネス３５間の相対位置が確保されている。これにより、３つの金属端子３６の第２接続部３６ａの位置関係が、端子台３０Ａにおける３つの端子部３２の第１接続部３２ａの位置関係と同じとなっている。
なお、他の構成は、上記実施の形態１と同様に構成されている。
【００２７】
この実施の形態２において、電力変換回路部１０と固定子巻線４とを電気的に接続させるには、まず、ガイド壁３４と相対する方向から、電力変換装置２００を端子台３０Ａに近づける。そして、１本の金属端子３６の第２接続部３６ａを、ガイド壁３４に押圧する。これにより、ガイド壁３４が基準面となり、３本の金属端子３６の第２接続部３６ａと３本の端子部３２の第１接続部３２ａとが位置決めされる。また、３本のワイヤーハーネス３５が、ワイヤーハーネス３５の金属端子３６側の部位を１つの保持部材３７に保持されているので、３本のワイヤーハーネス３５のケース２９と保持部材３７との間の部分が撓み、部品公差などによる位置ずれが吸収される。
【００２８】
ついで、１本の金属端子３６の第２接続部３６ａがガイド壁３４に当接させた状態で、電炉区変換装置２０を下方に移動させ、１つの第２接続部３６ａを第１接続部３２ａ上に接するように位置させる。同時に、残る２本の金属端子３６の第２接続部３６ａが、端子台本体３１Ａの上面に露呈する第１接続部３２ａ上に接するように位置する。そこで、ねじ３８を第２接続部３６ａの穴と第１接続部３２ａの穴に通してナット３３に締着し、電力変換回路部１０と固定子巻線４とが電気的に接続される。
【００２９】
したがって、実施の形態２においても、上記実施の形態１と同様の効果が得られる。
【００３０】
実施の形態３．
図６はこの発明の実施の形態３に係る回転電機における電力変換装置を示す斜視図である。
【００３１】
図６において、外部からのダストの侵入を阻止するダストシール３９が、ケース２９のワイヤーハーネス３５の突出部に装着されている。
なお、他の構成は上記実施の形態１と同様に構成されている。
【００３２】
ダストシール３９は、フッ素ゴムやニトリルゴムなど用いて作製されており、ダストの侵入を阻止する機能を果たすために、所望の剛性が必要となり、可撓性を備えていない。そして、ワイヤーハーネス３５のケース２９からの突出部がダストシール３９に覆われているので、ケース２９と保持部材３７との間のワイヤーハーネス３５の部分が撓みにくくなっている。
そこで、金属端子３６の第２接続部３６ａをガイド壁３４に押圧した際に、ワイヤーハーネス３５の保持部材３７と金属端子３６との間の部分が撓み、部品公差などによる位置ずれが吸収される。
【００３３】
したがって、ダストシール３９が装着された電力変換装置２００を用いる実施の形態３においても、上記実施の形態１と同様の効果が得られる。
なお、ワイヤーハーネス３５の保持部材３７と金属端子３６との間の部分を撓みやすくする観点から、ワイヤーハーネス３５のケース２９側の部位を保持部材３７に保持させ、ワイヤーハーネス３５の保持部材３７と金属端子３６との間の長さを長くすることが好ましい。
【００３４】
実施の形態４．
図７はこの発明の実施の形態４に係る回転電機における回転電機本体を示す斜視図、図８はこの発明の実施の形態４に係る回転電機における電力変換装置を示す斜視図、図９はこの発明の実施の形態４に係る回転電機における電力変換回路部と固定子巻線との接続方法を説明する斜視図である。
【００３５】
図７において、回転電機本体１００は、ハウジング１の外周部の軸方向一側に、端子台３０に近接して取り付けられた支持部材４０と、支持部材４０に立設された断面円形の回動ピン４１と、を備える。
図８において、電力変換装置２００は、ケース２９のワイヤーハーネス３５の突出部に近接して取り付けられたアーム４３と、アーム４３に形成された貫通孔４４と、を備える。
【００３６】
このように構成された電力変換装置２００は、図９に示されるように、貫通孔４４に回動ピン４１を通して、回動ピン４１を中心として回動可能に回転電機本体１００に取り付けられる。このとき、回動ピン４１の軸心は、端子部３２の第１接続部３２ａの軸心、すなわちナット３３の軸心と平行となっている。また、金属端子３６の第２接続部３６ａの下面が、端子部３２の第１接続部３２ａの上面とほぼ面一となるように、支持部材４０およびアーム４３が構成されている。さらに、保持部材３７に保持された３本のワイヤーハーネス３５は、貫通孔４４に対する３つの第２接続部３６ａの位置関係が、回動ピン４１に対する３つの第１接続部３２ａの位置関係と同じとなるように、ワイヤーハーネス３５間の相対位置が確保されている。
【００３７】
この実施の形態４において、電力変換回路部１０と固定子巻線４とを電気的に接続させるには、まず、貫通孔４４に回動ピン４１を通して、電力変換装置２００を回転電機本体１００に取り付ける。そして、電力変換装置２００を回動ピン４１周りに回動させる。この電力変換装置２００の回動動作により、３本の金属端子３６の第２接続部３６ａは、端子部３２の第１接続部３２ａ上を摺動しつつ、ガイド壁３４側に移動し、ついにはガイド壁３４を押圧する。これにより、ガイド壁３４が基準面となり、３本の金属端子３６の第２接続部３６ａと３本の端子部３２の第１接続部３２ａとが位置決めされる。また、３本のワイヤーハーネス３５の保持部材３７と金属端子３６との間の部分が撓み、部品公差などによる位置ずれが吸収される。そこで、ねじ３８を第２接続部３６ａの穴と第１接続部３２ａの穴に通してナット３３に締着し、電力変換回路部１０と固定子巻線４とが電気的に接続される。
【００３８】
したがって、実施の形態４においても、上記実施の形態１と同様の効果が得られる。
また、実施の形態４によれば、ケース２９が、第１接続部３２ａの軸心と平行な回動ピン４１を中心として、第２接続部３６ａがガイド壁３４に当接して第１接続部３２ａに対して位置決めされる締着位置と、第２接続部３６ａがガイド壁３４から離間する非締着位置との間を、回動可能にハウジング１に取り付けられている。そこで、電力変換装置２００を回動ピン４１周りに、第２接続部３６ａを締着位置まで回動させるだけで、金属端子３６の第２接続部３６ａと端子部３２の第１接続部３２ａとの位置決めができるので、電気接続部３００における接続作業性が向上され、回転電機の組立性が向上される。
【００３９】
実施の形態５．
図１０はこの発明の実施の形態５に係る回転電機における電力変換回路部と固定子巻線との接続方法を説明する斜視図である。
【００４０】
図１０において、回転電機本体１００は、ハウジング１の外周部の軸方向一側に、端子台３０に近接して取り付けられた支持部材４５と、支持部材４５に立設された断面レーストラック形状のガイドピン４６と、を備える。なお、レーストラック形状とは、相対する平行な２辺の端部同士を円弧で連結した形状である。
電力変換装置２００は、ケース２９に、ワイヤーハーネス３５の突出部に近接して取り付けられたアーム４８と、アーム４８に形成された断面レーストラック形状の穴形状のガイド穴４９と、を備える。なお、ガイド穴４９の平行な２辺の間隔は、ガイドピン４６の平行な２辺の間隔に略等しく、ガイド穴４９の長さである円弧間の間隔は、ガイドピン４６の長さである円弧間の間隔より長くなっている。
【００４１】
このように構成された電力変換装置２００は、ガイド穴４９にガイドピン４６を通して、ガイド穴４９の長さ方向に往復移動可能に回転電機本体１００に取り付けられる。このとき、ガイド穴４９の長さ方向は、端子部３２の第１接続部３２ａの配列方向と直交する方向となっている。また、金属端子３６の第２接続部３６ａの下面が、端子部３２の第１接続部３２ａの上面とほぼ面一となるように、支持部材４５およびアーム４８が構成されている。さらに、保持部材３７に保持された３本のワイヤーハーネス３５は、３つの第２接続部３６ａのガイド穴４９の長さ方向と直交する方向の位置関係が、端子台３０における３つの第１接続部３２ａの配列方向の位置関係と同じとなるように、ワイヤーハーネス３５間の相対位置が確保されている。
【００４２】
この実施の形態５において、電力変換回路部１０と固定子巻線４とを電気的に接続させるには、まず、ガイド穴４９にガイドピン４６を通して、電力変換装置２００を回転電機本体１００に取り付ける。そして、アーム４８を支持部材４５上を摺動させて、電力変換装置２００をガイド穴４９の長さ方向にスライド移動させる。この電力変換装置２００のスライド移動により、３本の金属端子３６の第２接続部３６ａは、端子部３２の第１接続部３２ａ上を摺動しつつ、ガイド壁３４側に移動し、ついにはガイド壁３４を押圧する。これにより、ガイド壁３４が基準面となり、３本の金属端子３６の第２接続部３６ａと３本の端子部３２の第１接続部３２ａとが位置決めされる。また、３本のワイヤーハーネス３５の保持部材３７と金属端子３６との間の部分が撓み、部品公差などによる位置ずれが吸収される。そこで、ねじ３８を第２接続部３６ａの穴と第１接続部３２ａの穴に通してナット３３に締着し、電力変換回路部１０と固定子巻線４とが電気的に接続される。
【００４３】
したがって、実施の形態５においても、上記実施の形態１と同様の効果が得られる。
また、実施の形態５によれば、ケース２９が、ガイド壁３４と相対する方向、すなわちガイド穴４９の長さ方向に、第２接続部３６ａがガイド壁３４に当接して第１接続部３２ａに対して位置決めされる締着位置と、第２接続部３６ａがガイド壁３４から離間する非締着位置との間を、スライド移動可能にハウジング１に取り付けられている。そこで、電力変換装置２００をガイド穴４９の長さ方向にスライド移動させるだけで、金属端子３６の第２接続部３６ａと端子部３２の第１接続部３２ａとの位置決めができるので、電気接続部３００における接続作業性が向上され、回転電機の組立性が向上される。
【００４４】
なお、上記各実施の形態では、３本の金属端子と３本の端子部とを接続しているが、金属端子および端子部の本数は３本に限定されず、回転電機本体の固定子巻線の給電部の個数にあわせて、適宜設定される。
【符号の説明】
【００４５】
１  ハウジング、４  固定子巻線、１０  電力変換回路部、２９  ケース、３０  端子台、３１  端子台本体、３２  端子部、３２ａ  第１接続部、３３  ナット、３４  ガイド壁、３５  ワイヤーハーネス、３６  金属端子、３６ａ  第２接続部、３７  保持部材、３８  ねじ（締着部材）、３９  ダストシール、４１  回動ピン、１００  回転電機本体、２００  電力変換装置、３００  電気接続部。
【図１】
2017108476.tif 000003
【図２】
2017108476.tif 000004
【図３】
2017108476.tif 000005
【図４】
2017108476.tif 000006
【図５】
2017108476.tif 000007
【図６】
2017108476.tif 000008
【図７】
2017108476.tif 000009
【図８】
2017108476.tif 000010
【図９】
2017108476.tif 000011
【図１０】
2017108476.tif 000012